【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
一連のフレームおよびサブフレームを定義する時分割複信（ＴＤＤ）フレーム構造に従って通信媒体で情報を受信すること、ここにおいて、前記通信媒体は、免許不要周波数帯域の少なくとも一部に対応する、と、
前記通信媒体で確認応答チャネルを搬送するためのサブフレームリソースのセットを決定すること、ここにおいて、サブフレームリソースの前記決定されたセットは、前記サブフレームのしきい値割合以下を占有し、直交周波数分割多重化（ＯＦＤＭ）トーンの１つまたは複数のインターリーブされたブロックで周波数において拡散され、前記サブフレームの前記しきい値割合は、２つ以下のＯＦＤＭシンボル期間を備える、と、
サブフレームリソースの前記決定されたセットを介して前記確認応答チャネルで、前記受信された情報に関連する１つまたは複数の確認応答メッセージを送信することと
を備える、通信方法。
【請求項２】
前記サブフレームの前記しきい値割合は、競合なしの時間期間に対応する、請求項１に記載の方法。
【請求項３】
前記競合なしの時間期間は、前記ＴＤＤフレーム構造によって定義されたフレームの持続時間の５％以下にわたる、請求項２に記載の方法。
【請求項４】
前記受信することは、
１つまたは複数のダウンリンクサブフレームの第１のグループ上で情報を受信することと、
１つまたは複数のダウンリンクサブフレームの第２のグループ上で情報を受信することと
を備え、
前記送信することは、
１つまたは複数のダウンリンクサブフレームの前記第１のグループ上で受信された前記情報に確認応答する確認応答メッセージを、第１のアップリンクサブフレーム上で送信することと、
１つまたは複数のダウンリンクサブフレームの前記第２のグループ上で受信された前記情報と１つまたは複数のダウンリンクサブフレームの前記第１のグループ上で受信された前記情報とに確認応答する確認応答メッセージを、前記第１のアップリンクサブフレームの後の第２のアップリンクサブフレーム上で送信することと
を備える、請求項１に記載の方法。
【請求項５】
一連のフレームおよびサブフレームを定義する時分割複信（ＴＤＤ）フレーム構造に従って通信媒体で情報を受信するための手段、ここにおいて、前記通信媒体は、免許不要周波数帯域の少なくとも一部に対応する、と、
前記通信媒体で確認応答チャネルを搬送するためのサブフレームリソースのセットを決定するための手段、ここにおいて、サブフレームリソースの前記決定されたセットは、前記サブフレームのしきい値割合以下を占有し、直交周波数分割多重化（ＯＦＤＭ）トーンの１つまたは複数のインターリーブされたブロックで周波数において拡散され、前記サブフレームの前記しきい値割合は、２つ以下のＯＦＤＭシンボル期間を備える、と、
サブフレームリソースの前記決定されたセットを介して前記確認応答チャネルで、前記受信された情報に関連する１つまたは複数の確認応答メッセージを送信するための手段とを備える、通信装置。
【請求項６】
前記サブフレームの前記しきい値割合は、競合なしの時間期間に対応する、請求項５に記載の装置。
【請求項７】
前記競合なしの時間期間は、前記ＴＤＤフレーム構造によって定義されたフレームの持続時間の５％以下にわたる、請求項６に記載の装置。
【請求項８】
受信するための前記手段は、
１つまたは複数のダウンリンクサブフレームの第１のグループ上で情報を受信するための手段と、
１つまたは複数のダウンリンクサブフレームの第２のグループ上で情報を受信するための手段と
を備え、
送信するための前記手段は、
１つまたは複数のダウンリンクサブフレームの前記第１のグループ上で受信された前記情報に確認応答する確認応答メッセージを、第１のアップリンクサブフレーム上で送信するための手段と、
１つまたは複数のダウンリンクサブフレームの前記第２のグループ上で受信された前記情報と１つまたは複数のダウンリンクサブフレームの前記第１のグループ上で受信された前記情報とに確認応答する確認応答メッセージを、前記第１のアップリンクサブフレームの後の第２のアップリンクサブフレーム上で送信するための手段と
を備える、請求項５に記載の装置。
【請求項９】
プロセッサによって実行されると、前記プロセッサに通信のための動作を実行させるコードを備える、非一時的コンピュータ可読媒体であって、
一連のフレームおよびサブフレームを定義する時分割複信（ＴＤＤ）フレーム構造に従って通信媒体で情報を受信するためのコード、ここにおいて、前記通信媒体は、免許不要周波数帯域の少なくとも一部に対応する、と、
前記通信媒体で確認応答チャネルを搬送するためのサブフレームリソースのセットを決定するためのコード、ここにおいて、サブフレームリソースの前記決定されたセットが前記サブフレームのしきい値割合以下を占有し、直交周波数分割多重化（ＯＦＤＭ）トーンの１つまたは複数のインターリーブされたブロックで周波数において拡散され、前記サブフレームの前記しきい値割合は、２つ以下のＯＦＤＭシンボル期間を備える、と、
サブフレームリソースの前記決定されたセットを介して前記確認応答チャネルで、前記受信された情報に関連する１つまたは複数の確認応答メッセージを送信するためのコードと
を備える、非一時的コンピュータ可読媒体。
【請求項１０】
前記サブフレームの前記しきい値割合は、競合なしの時間期間に対応する、請求項９に記載の非一時的コンピュータ可読媒体。
【請求項１１】
前記競合なしの時間期間は、前記ＴＤＤフレーム構造によって定義されたフレームの持続時間の５％以下にわたる、請求項１０に記載の非一時的コンピュータ可読媒体。
【請求項１２】
受信するための前記コードは、
１つまたは複数のダウンリンクサブフレームの第１のグループ上で情報を受信するためのコードと、
１つまたは複数のダウンリンクサブフレームの第２のグループ上で情報を受信するためのコードと
を備え、
送信するための前記コードは、
１つまたは複数のダウンリンクサブフレームの前記第１のグループ上で受信された前記情報に確認応答する確認応答メッセージを、第１のアップリンクサブフレーム上で送信するためのコードと、
１つまたは複数のダウンリンクサブフレームの前記第２のグループ上で受信された前記情報と１つまたは複数のダウンリンクサブフレームの前記第１のグループ上で受信された前記情報とに確認応答する確認応答メッセージを、前記第１のアップリンクサブフレームの後の第２のアップリンクサブフレーム上で送信するためのコードと
を備える、請求項９に記載の非一時的コンピュータ可読媒体。
【手続補正２】
【補正対象書類名】明細書
【補正対象項目名】０１７６
【補正方法】変更
【補正の内容】
【０１７６】
[00205]上述の開示は、様々な例示的な態様を示すが、様々な変更および修正が、添付の特許請求の範囲によって定義される範囲から逸脱することなく、示された例に対して行われ得ることに留意されたい。本開示は、具体的に示された例のみに限定されることは意図されていない。たとえば、別段に記載されていない限り、本明細書で説明された本開示の態様による方法クレームの機能、ステップおよび／またはアクションは、特定の順序で実行されなくてもよい。さらに、いくつかの態様は、単数形で説明または特許請求されていることがあるが、単数形に限定することが明示的に述べられていない限り、複数形が企図される。
以下に、本願出願の当初の特許請求の範囲に記載された発明を付記する。
［Ｃ１］
一連のフレームおよびサブフレームを定義する時分割複信（ＴＤＤ）フレーム構造に従って通信媒体で情報を受信することと、
前記通信媒体で確認応答チャネルを搬送するためのサブフレームリソースのセットを決定することと、ここにおいて、サブフレームリソースの前記決定されたセットが前記サブフレームのしきい値割合以下を占有し、
サブフレームリソースの前記決定されたセットを介して前記確認応答チャネルで、前記受信された情報に関連する１つまたは複数の確認応答メッセージを送信することと
を備える、通信方法。
［Ｃ２］
前記サブフレームの前記しきい値割合は、２つ以下の直交周波数分割多重化（ＯＦＤＭ）シンボル期間を備える、［Ｃ１］に記載の方法。
［Ｃ３］
サブフレームリソースの前記決定されたセットは、ＯＦＤＭトーンの１つまたは複数のインターリーブされたブロックで周波数において拡散されている、［Ｃ２］に記載の方法。
［Ｃ４］
前記サブフレームの前記しきい値割合は、競合なしの時間期間に対応する、［Ｃ１］に記載の方法。
［Ｃ５］
前記競合なしの時間期間は、前記ＴＤＤフレーム構造によって定義されたフレームの持続時間の５％以下にわたる、［Ｃ４］に記載の方法。
［Ｃ６］
前記受信することは、
１つまたは複数のダウンリンクサブフレームの第１のグループ上で情報を受信することと、
１つまたは複数のダウンリンクサブフレームの第２のグループ上で情報を受信することと
を備え、
前記送信することは、
１つまたは複数のダウンリンクサブフレームの前記第１のグループ上で受信された前記情報に確認応答する確認応答メッセージを、第１のアップリンクサブフレーム上で送信することと、
１つまたは複数のダウンリンクサブフレームの前記第２のグループ上で受信された前記情報と１つまたは複数のダウンリンクサブフレームの前記第１のグループ上で受信された前記情報とに確認応答する確認応答メッセージを、前記第１のアップリンクサブフレームの後の第２のアップリンクサブフレーム上で送信することと
を備える、［Ｃ１］に記載の方法。
［Ｃ７］
前記情報が第１の送信機会（ＴＸＯＰ）の間に正常に受信されていないと決定することと、
前記決定することに基づいて、前記確認応答チャネルでアクセス端末に、前記情報に関連する肯定確認応答メッセージを送信することと、
前記決定することに基づいて、共通制御チャネルで前記アクセス端末にいかなる送信許可も送信するのを控えることと、
第２のＴＸＯＰの間に、前記情報の再送信を受信することと
をさらに備える、［Ｃ１］に記載の方法。
［Ｃ８］
前記第１のＴＸＯＰおよび前記第２のＴＸＯＰは、時間的に不連続である、［Ｃ７］に記載の方法。
［Ｃ９］
一連のフレームおよびサブフレームを定義する時分割複信（ＴＤＤ）フレーム構造に従って通信媒体で情報を受信するように構成された少なくとも１つのトランシーバと、
少なくとも１つのプロセッサと、
前記少なくとも１つのプロセッサに結合された少なくとも１つのメモリと、
を備える、通信装置であって、前記少なくとも１つのプロセッサおよび前記少なくとも１つのメモリが、前記通信媒体で確認応答チャネルを搬送するためのサブフレームリソースのセットを決定するように構成され、ここにおいて、サブフレームリソースの前記決定されたセットが前記サブフレームのしきい値割合以下を占有し、
前記少なくとも１つのトランシーバは、サブフレームリソースの前記決定されたセットを介して前記確認応答チャネルで、前記受信された情報に関連する１つまたは複数の確認応答メッセージを送信するようにさらに構成される、通信装置。
［Ｃ１０］
前記サブフレームの前記しきい値割合は、２つ以下の直交周波数分割多重化（ＯＦＤＭ）シンボル期間を備える、［Ｃ９］に記載の装置。
［Ｃ１１］
サブフレームリソースの前記決定されたセットは、ＯＦＤＭトーンの１つまたは複数のインターリーブされたブロックで周波数において拡散されている、［Ｃ１０］に記載の装置。
［Ｃ１２］
前記サブフレームの前記しきい値割合は、競合なしの時間期間に対応する、［Ｃ９］に記載の装置。
［Ｃ１３］
前記競合なしの時間期間は、前記ＴＤＤフレーム構造によって定義されたフレームの持続時間の５％以下にわたる、［Ｃ１２］に記載の装置。
［Ｃ１４］
前記少なくとも１つのトランシーバは、
１つまたは複数のダウンリンクサブフレームの第１のグループ上で情報を受信することと、
１つまたは複数のダウンリンクサブフレームの第２のグループ上で情報を受信することと、
１つまたは複数のダウンリンクサブフレームの前記第１のグループ上で受信された前記情報に確認応答する確認応答メッセージを、第１のアップリンクサブフレーム上で送信することと、
１つまたは複数のダウンリンクサブフレームの前記第２のグループ上で受信された前記情報と１つまたは複数のダウンリンクサブフレームの前記第１のグループ上で受信された前記情報とに確認応答する確認応答メッセージを、前記第１のアップリンクサブフレームの後の第２のアップリンクサブフレーム上で送信することと
を行うようにさらに構成される、［Ｃ９］に記載の装置。
［Ｃ１５］
前記少なくとも１つのプロセッサおよび前記少なくとも１つのメモリは、前記情報が第１の送信機会（ＴＸＯＰ）の間に正常に受信されていないと決定するようにさらに構成され、
前記少なくとも１つのトランシーバは、
前記決定することに基づいて、前記確認応答チャネルでアクセス端末に、前記情報に関連する肯定確認応答メッセージを送信することと、
前記決定することに基づいて、共通制御チャネルで前記アクセス端末にいかなる送信許可も送信するのを控えることと、
第２のＴＸＯＰの間に、前記情報の再送信を受信することと
を行うようにさらに構成される、［Ｃ９］に記載の装置。
［Ｃ１６］
前記第１のＴＸＯＰおよび前記第２のＴＸＯＰは、時間的に不連続である、［Ｃ１５］に記載の装置。
［Ｃ１７］
一連のフレームおよびサブフレームを定義する時分割複信（ＴＤＤ）フレーム構造に従って通信媒体で情報を受信するための手段と、
前記通信媒体で確認応答チャネルを搬送するためのサブフレームリソースのセットを決定するための手段と、ここにおいて、サブフレームリソースの前記決定されたセットが前記サブフレームのしきい値割合以下を占有し、
サブフレームリソースの前記決定されたセットを介して前記確認応答チャネルで、前記受信された情報に関連する１つまたは複数の確認応答メッセージを送信するための手段とを備える、通信装置。
［Ｃ１８］
前記サブフレームの前記しきい値割合は、２つ以下の直交周波数分割多重化（ＯＦＤＭ）シンボル期間を備える、［Ｃ１７］に記載の装置。
［Ｃ１９］
サブフレームリソースの前記決定されたセットは、ＯＦＤＭトーンの１つまたは複数のインターリーブされたブロックで周波数において拡散されている、［Ｃ１８］に記載の装置。
［Ｃ２０］
前記サブフレームの前記しきい値割合は、競合なしの時間期間に対応する、［Ｃ１７］に記載の装置。
［Ｃ２１］
前記競合なしの時間期間は、前記ＴＤＤフレーム構造によって定義されたフレームの持続時間の５％以下にわたる、［Ｃ２０］に記載の装置。
［Ｃ２２］
受信するための前記手段は、
１つまたは複数のダウンリンクサブフレームの第１のグループ上で情報を受信するための手段と、
１つまたは複数のダウンリンクサブフレームの第２のグループ上で情報を受信するための手段と
を備え、
送信するための前記手段は、
１つまたは複数のダウンリンクサブフレームの前記第１のグループ上で受信された前記情報に確認応答する確認応答メッセージを、第１のアップリンクサブフレーム上で送信するための手段と、
１つまたは複数のダウンリンクサブフレームの前記第２のグループ上で受信された前記情報と１つまたは複数のダウンリンクサブフレームの前記第１のグループ上で受信された前記情報とに確認応答する確認応答メッセージを、前記第１のアップリンクサブフレームの後の第２のアップリンクサブフレーム上で送信するための手段と
を備える、［Ｃ１７］に記載の装置。
［Ｃ２３］
前記情報が第１の送信機会（ＴＸＯＰ）の間に正常に受信されていないと決定するための手段と、
前記決定することに基づいて、前記確認応答チャネルでアクセス端末に、前記情報に関連する肯定確認応答メッセージを送信するための手段と、
前記決定することに基づいて、共通制御チャネルで前記アクセス端末にいかなる送信許可も送信するのを控えるための手段と、
第２のＴＸＯＰの間に、前記情報の再送信を受信するための手段と
をさらに備える、［Ｃ１７］に記載の装置。
［Ｃ２４］
プロセッサによって実行されると、前記プロセッサに通信のための動作を実行させるコードを備える、非一時的コンピュータ可読媒体であって、
一連のフレームおよびサブフレームを定義する時分割複信（ＴＤＤ）フレーム構造に従って通信媒体で情報を受信するためのコードと、
前記通信媒体で確認応答チャネルを搬送するためのサブフレームリソースのセットを決定するためのコードと、ここにおいて、サブフレームリソースの前記決定されたセットが前記サブフレームのしきい値割合以下を占有し、
サブフレームリソースの前記決定されたセットを介して前記確認応答チャネルで、前記受信された情報に関連する１つまたは複数の確認応答メッセージを送信するためのコードと
を備える、非一時的コンピュータ可読媒体。
［Ｃ２５］
前記サブフレームの前記しきい値割合は、２つ以下の直交周波数分割多重化（ＯＦＤＭ）シンボル期間を備える、［Ｃ２４］に記載の非一時的コンピュータ可読媒体。
［Ｃ２６］
サブフレームリソースの前記決定されたセットは、ＯＦＤＭトーンの１つまたは複数のインターリーブされたブロックで周波数において拡散されている、［Ｃ２５］に記載の非一時的コンピュータ可読媒体。
［Ｃ２７］
前記サブフレームの前記しきい値割合は、競合なしの時間期間に対応する、［Ｃ２４］に記載の非一時的コンピュータ可読媒体。
［Ｃ２８］
前記競合なしの時間期間は、前記ＴＤＤフレーム構造によって定義されたフレームの持続時間の５％以下にわたる、［Ｃ２７］に記載の非一時的コンピュータ可読媒体。
［Ｃ２９］
受信するための前記コードは、
１つまたは複数のダウンリンクサブフレームの第１のグループ上で情報を受信するためのコードと、
１つまたは複数のダウンリンクサブフレームの第２のグループ上で情報を受信するためのコードと
を備え、
送信するための前記コードは、
１つまたは複数のダウンリンクサブフレームの前記第１のグループ上で受信された前記情報に確認応答する確認応答メッセージを、第１のアップリンクサブフレーム上で送信するためのコードと、
１つまたは複数のダウンリンクサブフレームの前記第２のグループ上で受信された前記情報と１つまたは複数のダウンリンクサブフレームの前記第１のグループ上で受信された前記情報とに確認応答する確認応答メッセージを、前記第１のアップリンクサブフレームの後の第２のアップリンクサブフレーム上で送信するためのコードと
を備える、［Ｃ２４］に記載の非一時的コンピュータ可読媒体。
［Ｃ３０］
前記情報が第１の送信機会（ＴＸＯＰ）の間に正常に受信されていないと決定するためのコードと、
前記決定することに基づいて、前記確認応答チャネルでアクセス端末に、前記情報に関連する肯定確認応答メッセージを送信するためのコードと、
前記決定することに基づいて、共通制御チャネルで前記アクセス端末にいかなる送信許可も送信するのを控えるためのコードと、
第２のＴＸＯＰの間に、前記情報の再送信を受信するための手段と
をさらに備える、［Ｃ２４］に記載の非一時的コンピュータ可読媒体。